Podtech/llm-jp-corpus-v4-ja_patent huggingface dataset:
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
（ａ）油糧種子粗粉を抽出してその中のタンパク質を溶解し、タンパク質水溶液を形成する一方、その油糧種子粗粉からフィチン酸がタンパク質溶液に抽出されるのを抑制する工程、
（ｂ）残余の油糧種子粗粉からタンパク質水溶液を分離する工程、
（ｃ）濃縮タンパク質溶液を供給するために、イオン強度を実質的に一定に保ちながらタンパク質水溶液のタンパク質濃度を少なくとも５０ｇ/Ｌにする工程、
（ｄ）該濃縮タンパク質溶液を１５℃以下の冷水で希釈してタンパク質ミセルを形成させる工程、
（ｅ）該タンパク質ミセルを沈降させ、無定形の粘着性のグルテン様タンパク質ミセル塊を形成する工程、および
（ｆ）タンパク質含有量が乾燥重量基準で少なくとも９０重量％（Ｎ ｘ ６．２５）である該タンパク質ミセル塊を上澄みから分離する工程、
を含む、タンパク質分離物の調製方法。
【請求項２】
前記フィチン酸の抽出の抑制が、前記油糧種子粗粉からの抽出において塩化カルシウム水溶液を用いて行われる請求項１に記載の方法。
【請求項３】
前記フィチン酸の抽出の抑制が、前記油糧種子粗粉からの抽出において塩類の水溶液を用いて高温条件下で行われる請求項１に記載の方法。
【請求項４】
前記高温条件が４５℃ないし７０℃、好ましくは５５℃ないし６５℃である請求項３に記載の方法。
【請求項５】
前記塩類の水溶液が塩化カルシウム水溶液である請求項３または４に記載の方法。
【請求項６】
前記油糧種子粗粉がキャノーラ油糧種子粗粉である請求項１から５のいずれかに記載の方法。
【請求項７】
前記キャノーラのタンパク質単離物のタンパク質含有量が少なくとも１００ｗｔ％（Ｎ ｘ ６．２５）である請求項６に記載の方法。
【請求項８】
前記キャノーラ油糧種子粗粉からの抽出が、イオン強度が少なくとも０．０５であり、好ましくは０．１ないし０．６であり、およびｐＨが５ないし６．８であり、好ましくは５．３ないし６．２である、好ましくは酸化防止剤を含有する塩類の水溶液を用いて、タンパク質含有量が５ｇ/Ｌないし４０ｇ/Ｌ、好ましくは１０ｇ/Ｌないし３０ｇ/Ｌであるタンパク質水溶液を形成する、少なくとも約５℃以上の温度でバッチ法により行われる請求項６または７に記載の方法。
【請求項９】
前記キャノーラ油糧種子粗粉からの抽出が、前記塩類の水溶液中での１０分間ないし３０分間の撹拌により、抽出処理における前記塩類の水溶液中のキャノーラ油糧種子粗粉の濃度が５重量％ないし１５重量％で行われる請求項８に記載の方法。
【請求項１０】
継続的に行われ、前記抽出処理が
（ｉ）キャノーラ油糧種子粗粉を、イオン強度が少なくとも０．０５であり、好ましくは０．１ないし０．６であり、ｐＨが５ないし６．８であり、好ましくは５．３から６．２である好ましくは酸化防止剤を含む塩類の水溶液と、５℃ないし６５℃、好ましくは少なくとも３５℃の温度で連続的に混合し、
（ｉｉ）約１０分間までの間、キャノーラ油糧種子粗粉からタンパク質を抽出しながら連続的に管を通して前記混合物を運搬することで、タンパク質含有量が５ｇ/Ｌないし４０ｇ/Ｌ、好ましくは１０ｇ/Ｌないし３０ｇ/Ｌであるタンパク質水溶液を形成する
ことで行われる請求項６または７に記載の方法。
【請求項１１】
前記混合段階における前記塩類の水溶液中の油糧種子粗粉の濃度が５％ｗ/ｖないし１５％ｗ/ｖである請求項１０に記載の方法。
【請求項１２】
前記タンパク質水溶液が残余のキャノーラ粗粉から分離された後、色素除去処理を受ける方法であって、該色素除去処理が、
（ｉ）タンパク質水溶液の透析濾過
（ｉｉ）粉末状活性炭などの色素吸着剤をタンパク質水溶液と混合し、それに続く前記色素吸着剤のタンパク質水溶液からの除去、
により行われる請求項６から１１のいずれかに記載の方法。
【請求項１３】
前記濃縮処理が限外濾過で行われ、タンパク質含有量が少なくとも２００ｇ／Ｌである濃縮タンパク質溶液を製造する請求項６から１２のいずれかに記載の方法。
【請求項１４】
前記濃縮タンパク質溶液が前記抽出処理で用いられた同じイオン強度の塩類の水溶液を用いた、好ましくは２ないし２０倍容量、より好ましくは５ないし１０倍容量の透析濾過溶液を用いて透析濾過を受け、さらに透析濾過処理の少なくとも一部が酸化防止剤の存在下で行われる、請求項６から１３のいずれかに記載の方法。
【請求項１５】
前記濃縮タンパク質溶液が、粒状活性炭またはポリビニルピロリドンを用いて脱色処理を受ける、請求項６から１４のいずれかに記載の方法。
【請求項１６】
さらにタンパク質含有量が少なくとも９０ｗｔ％、好ましくは少なくとも１００ｗｔ％であるキャノーラタンパク質単離物を前記上澄みから、好ましくは前記上澄みをタンパク質濃度１００ｇ/Ｌないし４００ｇ/Ｌ、好ましくは２００ｇ/Ｌないし３００ｇ/Ｌに濃縮し、次いで好ましくは酸化防止剤の存在下で透析濾過処理により濃縮溶液を濃縮タンパク質溶液と乾燥することにより回収する、請求項６から１５のいずれかに記載の方法。
【請求項１７】
前記濃縮タンパク質溶液を低温殺菌工程に、好ましくは該濃縮タンパク質溶液を５５℃から７０℃の温度に１０から１５分加熱することによって行う、請求項１から１６のいずれかに記載の方法。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
金属/ゴム複合体を製造するために使用でき、金属製強化部材に対して接着性のゴム組成物であって、少なくとも1種のジエン系エラストマー、強化フィラー、架橋剤系およびランタニド化合物を含むことを特徴とするゴム組成物。
【請求項２】
前記ジエン系エラストマーが、ポリブタジエン、天然ゴム、合成ポリイソプレン、ブタジエンコポリマー、イソプレンコポリマーおよびこれらエラストマーの混合物からなる群から選択される、請求項1記載の組成物。
【請求項３】
前記ランタニドが、ランタン、セリウム、プラセオジム、ネオジム、サマリウム、エルビウムおよびこれら希土類元素の混合物からなる群から選択される、請求項1に記載の組成物。
【請求項４】
前記ランタニドがネオジムである、請求項3記載の組成物。
【請求項５】
前記ランタニド化合物が、有機ランタニドである、請求項1に記載の組成物。
【請求項６】
前記有機ランタニドが、アビエテート、アセテート、アセチルアセトネート、ベンゾエート、ブチレート、ホルメート、リノレエート、マレエート、オレエート、プロピオネート、ナフテネート、レジネート、ステアレート、およびこれら化合物の混合物からなる群から選択される、請求項5記載の組成物。
【請求項７】
前記有機ランタニドが、アセチルアセトネートおよびナフテネートからなる群から選択される、請求項6記載の組成物。
【請求項８】
前記有機ランタニドが、ネオジムアセチルアセトネートである、請求項7記載の組成物。
【請求項９】
前記ランタニド化合物の含有率が、0.1〜10phrなる範囲内にある、請求項1に記載の組成物。
【請求項１０】
更に、コバルト化合物をも含む、請求項1に記載の組成物。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
少なくとも１つの置換基をある置換度で有する置換澱粉、
無機相、および
水を含む有機・無機複合材であって、
前記無機相、前記置換澱粉および前記水が一緒に混合されて混合物が形成され、前記無機相は少なくとも一部が前記水により水和され、前記置換度および前記少なくとも１つの置換基は、前記置換澱粉が混合温度で混合される間には溶解しないが、前記混合物処理の間に温度が上がると少なくとも一部が溶解し、前記有機・無機複合材の全体にほぼ分散した膜を形成し、前記有機・無機複合材が十分強くなるように選択される有機・無機複合材。
【請求項２】
前記少なくとも１つの置換基が、エステル置換基からなる複数の置換基から選択される請求項１に記載の有機・無機複合材。
【請求項３】
前記少なくとも１つの置換基が、エーテル置換基からなる複数の置換基から選択される請求項１に記載の有機・無機複合材。
【請求項４】
前記少なくとも１つの置換基が、アルキル置換基、こはく酸エチル置換基、カチオン性置換基、アニオン性置換基、およびそれらの組み合わせからなる複数の置換基から選択される請求項１に記載の有機・無機複合材。
【請求項５】
前記置換澱粉が、ヒドロキシエチル化、ヒドロキシプロピル化、またはアセチル化されている請求項１から４までに記載の有機・無機複合材。
【請求項６】
前記少なくとも１つの置換基が、前記置換澱粉が前記水和無機相上に膜を形成するように、前記置換澱粉が膜形成性および親水特性を有するように選択される請求項１および４に記載の有機・無機複合材。
【請求項７】
前記少なくとも１つの置換基で、前記置換度が、粘度１０００ｃｐｓにおける固体重量％が少なくとも４％であるように選択される請求項１から６までに記載の有機・無機複合材。
【請求項８】
前記少なくとも１つの置換基で、前記置換度が、粘度１０００ｃｐｓおよび温度華氏１５０度における固体重量％が９％〜４３％の範囲にあるように選択される請求項７に記載の有機・無機複合材。
【請求項９】
前記少なくとも１つの置換基がヒドロキシプロピル基であり、粘度１０００ｃｐｓおよび温度華氏１５０度における固体重量％が１４％〜２０％の範囲にあるように、前記置換度が選択される請求項７に記載の有機・無機複合材。
【請求項１０】
前記少なくとも１つの置換基がヒドロキシエチル基であり、粘度１０００ｃｐｓおよび温度華氏１５０度における固体重量％が１７％〜３０％の範囲にあるように、前記置換度が選択される請求項７に記載の有機・無機複合材。
【請求項１１】
前記ヒドロキシエチル基の前記置換度が、粘度１０００ｃｐｓおよび温度華氏１５０度における固体重量％が１７％〜２１％の範囲にあるように選択される請求項１０に記載の有機・無機複合材。
【請求項１２】
前記置換度が０．３未満である請求項１０に記載の有機・無機複合材。
【請求項１３】
前記置換度が６重量％未満である請求項１０に記載の有機・無機複合材。
【請求項１４】
前記置換度が１〜３重量％の範囲において選択される請求項１０に記載の有機・無機複合材。
【請求項１５】
前記置換澱粉が少なくとも一部はアミロペクチンを含んでいる請求項１から１４までに記載の有機・無機複合材。
【請求項１６】
前記置換澱粉のほぼ全体がアミロペクチンである請求項１５に記載の有機・無機複合材。
【請求項１７】
前記置換澱粉のほぼ全体が溶解し、ポリマー膜を形成する請求項１に記載の有機・無機複合材。
【請求項１８】
前記置換澱粉が、疎水性変性され、酸分解されたもち状のとうもろこし澱粉である請求項１に記載の有機・無機複合材。
【請求項１９】
前記置換澱粉が酸分解澱粉であり、前記少なくとも１つの置換基がヒドロキシプロピル基である請求項１に記載の有機・無機複合材。
【請求項２０】
前記置換度が１．５〜２．５重量％のヒドロキシプロピルの範囲で選択される請求項１９に記載の有機・無機複合材。
【請求項２１】
前記置換澱粉が、アセチル化され、酸分解もち状のとうもろこし澱粉である請求項１の有機・無機複合材。
【請求項２２】
前記置換澱粉の量が、前記置換澱粉および無機相の重量の２重量％程度である請求項１から２１までに記載の有機・無機複合材。
【請求項２３】
前記有機・無機複合材のほぼ全体に分散した繊維類をさらに含む請求項１から２２までに記載の有機・無機複合材。
【請求項２４】
前記繊維類がガラス繊維類である請求項２３に記載の有機・無機複合材。
【請求項２５】
曲げ強度が、相乗的に改善されるように選択されたセルロースエーテル添加剤をさらに含む請求項１から２３までに記載の有機・無機複合材。
【請求項２６】
前記セルロースエーテルが、ヒドロキシプロピルメチルセルロース、メチルセルロース、ヒドロキシエチルメチルセルロース、ヒドロキシエチルセルロース、ヒドロキシプロピルセルロース、カチオン性セルロース、カルボキシメチルセルロースおよびこれらの組み合わせからなるセルロースエーテル類の群から選択される請求項２５に記載の有機・無機複合材。
【請求項２７】
前記セルロースエーテルがヒドロキシプロピルメチルセルロースである請求項２６に記載の有機・無機複合材。
【請求項２８】
混合温度範囲を有するプロセスを用いて有機・無機複合材物品を調製する方法であって、前記方法が、
置換澱粉が、前記混合温度範囲において水に不溶であるような置換度、重合度および少なくとも１つの置換基を有する前記置換澱粉を選択する工程、
前記混合温度範囲内の温度における連続プロセスにおいて、前記置換澱粉、無機相および水を混合する工程、
前記複合材物品を成形する工程、
前記無機相の少なくとも一部を水和する工程、
前記混合温度範囲より上に温度を上げる工程であって、前記置換澱粉は少なくとも一部を前記水に溶解し、および
前記置換澱粉が、前記複合材物品内で連続ポリマー膜を形成するように前記複合材物品を凝固して乾燥させる工程
を含む方法。
【手続補正書】
【提出日】平成20年4月17日(2008.4.17)
【手続補正１】
【補正対象書類名】特許請求の範囲
【補正対象項目名】請求項３５
【補正方法】変更
【補正の内容】
【請求項３５】
請求項１記載の化合物を含む、Ａ1アデノシンレセプターの拮抗剤。
【手続補正２】
【補正対象書類名】特許請求の範囲
【補正対象項目名】請求項３６
【補正方法】変更
【補正の内容】
【請求項３６】
鬱血性心不全、慢性腎疾患、肝硬変、および利尿薬で治療することができる他のいずれかの疾患から選択される病態を治療するための、請求項３５記載の拮抗剤。
【手続補正３】
【補正対象書類名】明細書
【補正対象項目名】発明の名称
【補正方法】変更
【補正の内容】
【発明の名称】Ａ１アデノシンレセプターアンタゴニストとしてのプリン誘導体
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
ポリ（ラクチド−コ−グリコリド）コポリマーを含んでなる生分解性ポリマーマトリックスと、β−アドレナリン受容体拮抗薬とを含み、１mmより大きい寸法を有する眼内インプラントの形状であり、インプラントが配置されている眼の眼圧を下げるのに有効な期間、前記インプラントから眼へβ−アドレナリン受容体拮抗薬を放出し、前記期間がインプラントを眼に配置してから少なくとも約1週間である、生分解性薬剤送達インプラント。
【請求項２】
前記β−アドレナリン受容体拮抗薬が、チモロール、ベタキソール、レボブノロール、カルテオロール、メチプラノロール、これらの誘導体およびこれらの混合物からなる群から選択される請求項1に記載のインプラント。
【請求項３】
前記アドレナリン受容体拮抗薬が、β−非選択的アドレナリン拮抗薬である請求項1に記載のインプラント。
【請求項４】
前記β−アドレナリン受容体拮抗薬が、チモロール、その塩およびそれらの混合物からなる群から選択される請求項1に記載のインプラント。
【請求項５】
前記β−アドレナリン受容体拮抗薬が、マレイン酸チモロールである請求項1に記載のインプラント。
【請求項６】
前記β−アドレナリン受容体拮抗薬が、生分解性ポリマーマトリックス内に分散されている請求項1に記載のインプラント。
【請求項７】
前記β−アドレナリン受容体拮抗薬が、インプラントの約50wt％までの量で供給される請求項1に記載のインプラント。
【請求項８】
前記β−アドレナリン受容体拮抗薬が、マレイン酸チモロールであり、インプラントの約26wt％までの量で供給される請求項1に記載のインプラント。
【請求項９】
フィラメントの形状である請求項1〜8のいずれかに記載のインプラント。
【請求項１０】
前記インプラントが、眼の前眼房に配置されるように構成されている請求項1〜9のいずれかに記載のインプラント。
【請求項１１】
前記インプラントが、眼の後部に配置されるように構成されている請求項1〜9のいずれかに記載のインプラント。
【請求項１２】
請求項1〜11のいずれかに記載のインプラントである、患者の眼の眼圧を下げるための医薬品であって、前記医薬品を患者の眼の中に配置することによって、治療有効量のβ−アドレナリン受容体拮抗薬を、少なくとも約1週間、患者に供給する医薬品。
【請求項１３】
請求項1〜11のいずれかに記載のインプラントである、緑内障を治療するための医薬品であって、前記医薬品を患者の眼部領域に配置することによって、治療有効量のβ−アドレナリン受容体拮抗薬を患者の眼に少なくとも約1週間供給し、それによって緑内障を治療する医薬品。
【請求項１４】
請求項1〜11のいずれかに記載の生分解性眼内インプラントを製造する方法であって、β−アドレナリン受容体拮抗薬とポリ（ラクチド−コ−グリコリド）コポリマーを含んでなる生分解性ポリマー成分との混合物を押出して、眼内インプラントを形成する工程を含んでなる方法。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
血管形成を促進するか、又は血管形成を促進することが望ましい疾患又は疾病を治療する際の使用に適した柑橘類果実の皮のエキスを含む組成物。
【請求項２】
疾患又は疾病が、筋虚血、脳卒中、又は潰瘍である、請求項1記載の組成物。
【請求項３】
筋虚血が、骨格筋虚血であるか又は冠動脈性疾患によるものである、請求項2記載の組成物。
【請求項４】
血管形成の促進が創傷治癒を援助することである、請求項1記載の組成物。
【請求項５】
血管形成の促進が、組織培養内で操作された又は再生された組織におけるものである、請求項1に記載の組成物。
【請求項６】
柑橘類果実が、グレープフルーツ、オレンジ、レモン、ライム、マンダリン、タンジェロ、タンジェリン、又はウグリスである、請求項1〜5のいずれか1項に記載の組成物。
【請求項７】
柑橘類果実がグレープフルーツ(シトラス・パラディッシ)である、請求項1〜6のいずれか1項に記載の組成物。
【請求項８】
エキスが、経口、腹腔内、静脈内、皮下又は筋肉内で投与される、請求項1〜4のいずれか1項、請求項6又は7記載の組成物。
【請求項９】
外傷の治療のために、エキスがゲル、スプレー、クリーム又はローションの形で局所的に投与される、請求項1〜4のいずれか1項、請求項6、7又は8記載の組成物。
【請求項１０】
血管形成を促進するか、又は血管形成を促進することが望ましい疾患又は疾病を治療するための薬剤の製造における柑橘類果実の皮のエキスの治療的に有効な量の使用。
【請求項１１】
疾患又は疾病が筋虚血、脳卒中、又は潰瘍である、請求項10記載の使用。
【請求項１２】
筋虚血が、骨格筋虚血であるか又は冠動脈性疾患によるものである、請求項11記載の使用。
【請求項１３】
血管形成の促進が、創傷治癒を援助することである、請求項10記載の使用。
【請求項１４】
柑橘類果実の皮のエキスの調製方法であって:
(a) 柑橘類果実の皮をホモジナイズし、得られたホモジネートに約5容積の水性溶媒を添加する工程;
(b) 工程(a)で得られた混合物を撹拌する工程;
(c) 工程(b)で得られた混合物をろ過してろ液を得る工程;
(d) 減圧下約45℃でろ液を濃縮する工程;
(e) 濃縮されたろ液をクロマトグラフィー精製に供する工程であって、水で溶離した後、アルコールによる溶離によって得られた画分が得られる、前記工程; 及び
(f) アルコール画分を減圧下約45℃で濃縮してエキスを得る工程
による、前記方法。
【請求項１５】
混合物の撹拌とろ過の工程が皮からの抽出を最大にするために繰り返される、請求項14記載の方法。
【請求項１６】
濃縮したろ液のクロマトグラフィー精製が、濃縮したろ液を非イオン性樹脂クロマトグラフィー媒体に吸着させ、最初に水で溶離して望ましくない物質を除去し、次にアルコールで溶離してエキスを含む画分を得る、請求項14又は請求項15記載の方法。
【請求項１７】
工程(a)の水性溶媒に用いられる溶媒が、メタノール、エタノール、プロパノール及びアセトンからなる群より選ばれる、請求項14〜16のいずれか1項に記載の方法。
【請求項１８】
工程(a)の水性溶媒に用いられる溶媒が70％水性アセトンである、請求項14〜17のいずれか1項に記載の方法。
【請求項１９】
工程(e)に用いられる非イオン性樹脂がポリスチレンである、請求項14〜18のいずれか1項に記載の方法。
【請求項２０】
吸着した画分が、メタノールを用いて工程(f)のカラムから溶離する、請求項14〜19のいずれか1項に記載の方法。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
下記工程：
a) 安定化剤の溶液中に活性薬剤を溶解／懸濁することにより、保存サンプルを調製する工程、および
b) 該保存サンプルを、該保存サンプルが凍結することまたは発泡して気泡を形成することなく蒸発により溶媒を放出するように0℃を上回る温度条件および30 mbarを下回る圧力条件に供して、粘性液体を形成させる工程、および
c) 前記保存サンプルを、前記粘性液体が乾燥して高粘性液体を形成するように0℃を上回る温度条件および30 mbarを下回る圧力条件にさらに供する工程、
を含み、ここで安定化剤が、ガラス形成性ポリオールと、工程c)において形成される高粘性液体の流動速度を低減する第２成分とを含むものである、活性薬剤の保存方法。
【請求項２】
安定化剤が、ガラス形成性ポリオールとしてスクロースまたはトレハロースを含む、請求項１に記載の方法。
【請求項３】
第２成分が、直鎖成分を好ましくは含む糖である、請求項１または２に記載の方法。
【請求項４】
第２成分が、スクロースよりも少ない水分収着等温線プロフィールを有する糖である、請求項３に記載の方法。
【請求項５】
第２成分が、マンニトール、ラフィノース、ラクチトール、ソルビトールおよびラクトビオン酸からなる群より選択される、請求項３または４に記載の方法。
【請求項６】
ガラス形成性ポリオールの第２成分に対する重量比（w/w）が6:1〜1:1である、請求項１〜５のいずれか１項に記載の方法。
【請求項７】
工程b)において圧力を30 mbar以下に低下させる、請求項１〜６のいずれか１項に記載の方法。
【請求項８】
工程b)における保存サンプルの外部の温度が5℃〜37℃である、請求項１〜７のいずれか１項に記載の方法。
【請求項９】
工程c)における保存サンプルの外部の温度が5℃〜37℃である、請求項１〜８のいずれか１項に記載の方法。
【請求項１０】
活性薬剤がIPV(不活化ポリオウイルス)を含む、請求項１〜９のいずれか１項に記載の方法。
【請求項１１】
活性薬剤がHib(b型インフルエンザ菌)の多糖またはオリゴ糖を含む、請求項１〜１０のいずれか１項に記載の方法。
【請求項１２】
活性薬剤がC型髄膜炎菌の多糖またはオリゴ糖を含む、請求項１〜１１のいずれか１項に記載の方法。
【請求項１３】
活性薬剤がワクチンを含む、請求項１〜１２のいずれか１項に記載の方法。
【請求項１４】
安定化剤および活性薬剤を含む高粘性液体であって、該安定化剤がガラス形成性ポリオールと該高粘性液体の流動速度を低減させる第２成分とを含み、請求項１〜１３のいずれか１項に記載の方法によって得られるものであり、該活性薬剤の抗原性または活性が維持されている、前記高粘性液体。
【請求項１５】
請求項１４に記載の高粘性液体と、製薬上許容し得る賦形剤とを含む、免疫原性組成物またはワクチン。
【請求項１６】
請求項１４に記載の高粘性液体を水溶液中で再構成する工程を含む、ワクチンの製造方法。
【請求項１７】
前記水溶液が、ジフテリア(Diphtheria)抗原、破傷風(Tetanus)抗原および百日咳(Pertussis)抗原(無細胞または全細胞)を含む、請求項１６に記載の方法。
【請求項１８】
前記DTPワクチンが、水酸化アルミニウムを用いて少なくとも部分的にアジュバント化されている、請求項１７に記載の方法。
【請求項１９】
第1の容器中に保持された請求項１４に記載の高粘性液体と、第2の容器中の液体ワクチン成分とを含むキット。
【誤訳訂正書】
【提出日】平成20年3月17日(2008.3.17)
【誤訳訂正１】
【訂正対象書類名】特許請求の範囲
【訂正対象項目名】請求項１
【訂正方法】変更
【訂正の内容】
【請求項１】
一般式I：
【化１】
2007535506.tif 000001
式中、
ｍおよびｎそれぞれは、互いに独立して０、１、２または３であり、
Ｙは、O、S、S(O)、SO2、CH2、CF2、CCl2、CHF、CHCl、CFCl、C(CF3)2、CHCF3、C(CN)2またはCHCNを示し、
X1、X2およびX3それぞれは、互いに独立してH、ハロゲン、CN、SCN、NCSまたはSF5を示し、
A1およびA2それぞれは、互いに独立して、=CH-が一度か二度=N-に置換されてもよく、また非置換であるか、互いに独立して、-CN、-F、-Cl、-Br、-I、非置換であるか、フッ素および／または塩素により一または多置換されたC1-C6-アルカニル、または非置換であるか、フッ素および／または塩素により一または多置換されたC1-C6-アルコキシにより一から四置換されてもよい1,4-フェニレン、1,4-シクロヘキシレン、1,4-シクロヘキセニレン、または、-CH2-が一度か二度、互いに独立して、ヘテロ原子が直接結合されていないように-O-または-S-に置換されてもよく、非置換であるか、-F、-Cl、-Brおよび／または-Iにより一または多置換されてもよい1,4-シクロヘキサジエニレンを示し、
Z1およびZ2それぞれは、互いに独立して、単結合、二重結合、-CF2O-、-OCF2-、-CH2CH2-、-CF2CF2-、-CF2CH2-、-CH2CF2-、-CHF-CHF-、-C(O)O-、-OC(O)-、-CH2O-、-OCH2-、-CF=CH-、-CH=CF-、-CF=CF-、-CH=CH-または-C≡C-を示し、
R1およびR2は、水素、１〜１５個あるいは２〜１５個のC原子を有する、それぞれ非置換であるか、-CNまたは-CF3により一置換された、またはF、Cl、Brおよび／またはIにより一置換または多置換され、さらにこれらの基中のCH2基が、１つまたは２つ以上それぞれ互いに独立して、-O-、-S-、-SO2-、-CO-、-COO-、-OCO-または-OCO-O-により、ヘテロ原子が直接結合されないように置換されてもよいアルカニル、アルコキシ、アルケニル、またはアルキニル基、-F、-Cl、-Br、-I、-CN、-SCN、-NCSまたは-SF5を示し、
mまたはnが１より大きい場合、A1、A2、Z1、Z2、R1およびR2はそれぞれ同一または異なる意味を有してもよく、
そして同時にnが０であり、X1がFを示し、X2がHまたはFを示し、およびX3がHを示す場合、R2はHを示さない、
で表される化合物。
【誤訳訂正２】
【訂正対象書類名】特許請求の範囲
【訂正対象項目名】請求項１１
【訂正方法】変更
【訂正の内容】
【請求項１１】
m=1およびn=1であり、
A1およびA2の両方が、
【化４】
2007535506.tif 000002
であり、
Z1およびZ2が単結合であり、
R1が1〜７個または2〜7個の炭素原子をそれぞれ有するアルカニル基、アルコキシ基またはアルケニル基であり、
R2が水素、1〜7個または2〜7個の炭素原子をそれぞれ有するアルカニル基、アルコキシ基またはアルケニル基
であることを特徴とする、請求項１〜８のいずれかに記載の化合物。
【誤訳訂正３】
【訂正対象書類名】明細書
【訂正対象項目名】００１４
【訂正方法】変更
【訂正の内容】
【００１４】
A1およびA2それぞれは、互いに独立して、=CH-が一度か二度=N-に置換されてもよく、また非置換であるか、互いに独立して、-CN、-F、-Cl、-Br、-I、非置換であるか、フッ素および／または塩素により一または多置換されたC1-C6-アルカニル、または非置換であるか、フッ素および／または塩素により一または多置換されたC1-C6-アルコキシにより一から四置換されてもよい1,4-フェニレン、1,4-シクロヘキシレン、1,4-シクロヘキセニレン、または、-CH2-が一度か二度、互いに独立して、ヘテロ原子が直接結合されていないように-O-または-S-に置換されてもよく、非置換であるか、-F、-Cl、-Brおよび／または-Iにより一または多置換されてもよい1,4-シクロヘキサジエニレンを示し、
【誤訳訂正４】
【訂正対象書類名】明細書
【訂正対象項目名】００１６
【訂正方法】変更
【訂正の内容】
【００１６】
R1およびR2は、水素、１〜１〜１５個あるいは２〜１５個のC原子を有する、それぞれ非置換であるか、-CNまたは-CF3により一置換された、またはF、Cl、Brおよび／またはIにより一置換または多置換され、さらにこれらの基中のCH2基が、１つまたは２つ以上それぞれ互いに独立して、-O-、-S-、-SO2-、-CO-、-COO-、-OCO-または-OCO-O-により、ヘテロ原子が直接結合されないように置換されてもよいアルカニル、アルコキシ、アルケニル、またはアルキニル基、-F、-Cl、-Br、-I、-CN、-SCN、-NCSまたは-SF5を示し、
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
有効量の非抗菌性テトラサイクリン製剤を含むことを特徴とする、治療する必要のある哺乳類の大動脈弁狭窄症の治療用の医薬組成物。
【請求項２】
前記テトラサイクリン製剤が、非抗菌量の抗菌性テトラサイクリンを含む、請求項１記載の医薬組成物。
【請求項３】
前記抗菌性テトラサイクリンが、テラマイシン、オーレオマイシン、ドキシサイクリン、ミノサイクリン、テトラサイクリン、オキシテトラサイクリン、クロルテトラサイクリン、デメクロサイクリン、リメサイクリン、またはこれらの製薬上許容し得る塩からなる群から選択される、請求項２記載の医薬組成物。
【請求項４】
前記テトラサイクリン製剤が、非抗菌性テトラサイクリンを含む、請求項１記載の医薬組成物。
【請求項５】
前記非抗菌性テトラサイクリンが、CMT-1、CMT-2、CMT-4、CMT-6、CMT-7、CMT-9、CMT-10、またはこれらの製薬上許容し得る塩からなる群から選択される、請求項４記載の医薬組成物。
【請求項６】
前記テトラサイクリンが、CMT-3、その類似物、またはこれらの製薬上許容し得る塩である、請求項４記載の医薬組成物。
【請求項７】
前記テトラサイクリンが、CMT-8、その類似物、またはこれらの製薬上許容し得る塩である、請求項４記載の医薬組成物。
【請求項８】
ヒト以外の哺乳類に有効量の非抗菌性テトラサイクリン製剤を投与することを特徴とする、治療する必要のある前記哺乳類の大動脈弁狭窄症の治療方法。
【請求項９】
治療する必要のある哺乳類の大動脈弁狭窄症の治療用の医薬組成物を調製するための非抗菌性テトラサイクリン製剤の使用。
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
良性乳房疾患の治療のための医薬の製造における４−ヒドロキシタモキシフェンの使用。
【請求項２】
前記医薬が経皮投与に好適な形態のものである請求項１に記載の使用。
【請求項３】
前記４−ヒドロキシタモキシフェンが浸透促進剤を含む媒体中のものである請求項１または２に記載の使用。
【請求項４】
１日当たり約０．２５〜２．０ｍｇ／乳房、好ましくは約０．５〜１．０ｍｇ／乳房の４−ヒドロキシタモキシフェンを患者に投与できる請求項２に記載の使用。
【請求項５】
前記４−ヒドロキシタモキシフェンが、水性アルコールゲル、水性アルコール溶液、貼付剤、軟膏、クリーム、乳濁液（ローション）、散剤またはオイル、好ましくは水性アルコールゲルに製剤されている請求項１〜４のいずれかに記載の使用。
【請求項６】
前記４−ヒドロキシタモキシフェンが、浸透促進剤、水系媒体、アルコール系媒体およびゲル化剤を含む水性アルコール組成物に製剤されている請求項５に記載の使用。
【請求項７】
前記４−ヒドロキシタモキシフェンが、水性アルコールゲルに製剤されており、
４−ヒドロキシタモキシフェンの量が、ゲル１００ｇ当たり４−ヒドロキシタモキシフェンが約０．００１ｇ〜約１．０ｇの範囲である請求項５に記載の使用。
【請求項８】
前記水性アルコール組成物が、
ａ）約０．０１重量％〜０．２０重量％の４−ヒドロキシタモキシフェン、
ｂ）約０．５重量％〜２重量％のミリスチン酸イソプロピル、
ｃ）約６０重量％〜７５重量％の無水アルコール、
ｄ）約２５重量％〜４０重量％の水系媒体、
ｅ）約０．５重量％〜５重量％のゲル化剤
を含み；
成分の前記パーセントが、前記組成物の重量に対する重量である請求項６に記載の使用。
【請求項９】
前記水性アルコール組成物が単位用量小袋内または計量ポンプ付きの複数用量容器内に入れられている請求項８に記載の使用。
【請求項１０】
前記良性乳房疾患が増殖性乳房疾患である請求項１〜９のいずれかに記載の使用。
【請求項１１】
前記良性乳房疾患がエストロゲンと関連している構成要素を有する、および／または、前記増殖性乳房疾患が、腺症、嚢胞、管拡張、線維腺腫、線維嚢胞症、線維症、過形成および化生からなる群から選択される請求項１〜１０のいずれかに記載の使用。
【請求項１２】
乳癌を発症する危険性がある患者における良性乳房疾患の予防のための医薬の製造における４−ヒドロキシタモキシフェンの使用。
【請求項１３】
前記患者が閉経前である請求項１２に記載の使用。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
炎症性疾患を処置するための、薬学的に受容可能なキャリア中のヌクレアーゼ耐性ＥＧＳ組成物。
【請求項２】
前記ＥＧＳは、ヌクレオチドのリボース部分の２’ＯＨ基において化学的に改変され、該改変は、２’−Ｏ−メチルの付加である、請求項１に記載のＥＧＳ組成物。
【請求項３】
前記ＥＧＳが、標的配列と塩基対形成して、ステムのような構造を形成する少なくとも７個のヌクレオチド、塩基対形成して、ｔＲＮＡ分子の一部に類似する二次構造および三次構造を形成するヌクレオチド、該ヌクレオチドに続く、標的配列と塩基対形成して、Ｄループのような構造を形成する少なくとも３個のヌクレオチドを含む、請求項１に記載のＥＧＳ組成物。
【請求項４】
前記ＥＧＳが、ＩＬ−４レセプターα鎖、ＲＡＧ−１、アデノシン−１レセプター、ＩＬ−１３、ＣＤ４０、ＣＤ４０レセプター、Ｃ３ｄ補体レセプター、ＴＧＦβレセプター１、ＴＧＦ  βレセプター２、ＴＧＦ  β、ＴＧＦ  β転写因子、ＥＧＦレセプター、ＩＬ−１０レセプター、ＩＬ−１０、ＮＦκＢ転写因子ｐ６５、ＮＦκＢ転写因子ｐ５０、ＳＴＡＴ６、インフルエンザウイルスの伸長因子、インフルエンザウイルスヌクレオカプシド、インフルエンザウイルスの酸性ポリメラーゼ、およびインフルエンザウイルスの非構造タンパク質からなる群より選択される標的ｍＲＮＡの発現を阻害する、請求項１に記載のＥＧＳ組成物。
【請求項５】
前記薬学的に受容可能なキャリアが、軟膏剤、ローション剤、クリーム、ゲル、滴剤、坐剤、スプレー剤、液剤、散剤、顆粒剤、水剤、懸濁剤、カプセル剤、および錠剤からなる群より選択される、請求項１に記載のＥＧＳ組成物。
【請求項６】
前記ＥＧＳは、吸入を介する投与、注射を介する投与、または経口投与のために処方されている、請求項１に記載のＥＧＳ組成物。
【請求項７】
疾患または障害の１つ以上の症状を妨げるかまたは軽減するために有効な量のＥＧＳを肺投与するための投薬形態である、ヌクレアーゼ耐性ＥＧＳ組成物。
【請求項８】
炎症性疾患を処置するための組成物であって、該組成物は、
疾患または障害の１つ以上の症状を妨げるかまたは軽減するために有効な量のヌクレアーゼ耐性ＥＧＳを薬学的に受容可能なキャリアに含む、組成物。
【請求項９】
吸入を介して、注射を介して、または経口投与されることを特徴とする、請求項８に記載の組成物。
【請求項１０】
前記ＥＧＳは、ＩＬ−４レセプターα鎖、ＲＡＧ−１、アデノシンレセプター、およびＳＴＡＴ６からなる群より選択される標的ｍＲＮＡの発現を阻害する、請求項８に記載の組成物。
【請求項１１】
前記薬学的に受容可能なキャリアは、軟膏剤、ローション剤、クリーム、ゲル、滴剤、坐剤、スプレー剤、液剤、散剤、顆粒剤、水剤、懸濁剤、カプセル剤、および錠剤からなる群より選択される、請求項８に記載の組成物。
【請求項１２】
前記疾患は、喘息、アレルギー性鼻炎、食物アレルギー、湿疹、ＩＬ−４および／またはＩＬ−１３依存性の悪性腫瘍、ＩＬ−４および／またはＩＬ−１３依存性の自己免疫疾患、ウイルスのＩＬ−４依存性の複製によって引き起こされる疾患、ならびにアトピー性疾患からなる群より選択される、請求項８に記載の組成物。
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
プラットホームであって、
半加工品（１、２３、２９）と、垂直支持部（１３）及び水平支持部（１４）から成る荷積み棚（１２）とから形成され、前記半加工品が、前記荷積み棚（１２）の前記支持部（１３、１４）の周囲に折り曲げられ、前記半加工品が、各開口部（４、２５、３２）で荷積み棚（１２）の中央の脚（１８）を受容する少なくとも二つの開口部（４、２５、３２）を有することに特徴付けられるプラットホーム。
【請求項２】
前記半加工品（１、２３、２９）が、二つの長手方向の折り返し（２、２４、３０）と、中央の矩形部分と、使用される前記荷積み棚（１２）の形状による適切な方法で、前記半加工品を折り曲げるための折り目（６から８、１１、２７、２８、３５から３９）と、を有すること、及び二つの荷積み棚（１２）が使用されることに特徴付けられる、請求項１に記載のプラットホーム。
【請求項３】
折り目（７、２８）が、各荷積み棚（１２）の垂直支持部（１３）の上端部と一致する位置に配列されることと、前記長手方向の折り返し（２、２４）が、前記垂直支持部（１３）の周囲に折り曲げられるようになっていることと、前記長手方向の折り返し（２、２４）が、前記折り返し（２、２４）をそれぞれの荷積み棚（１２）に取付けるための手段を有することとに特徴付けられる、請求項２に記載のプラットホーム。
【請求項４】
前記取付ける手段が、各折り返し（２、２４）の長手方向の側部から突出る四つの指状突起（５、２６）であり、前記指状突起（５、２６）が、各荷積み棚（１２）の垂直支持部（１３）の孔（１５）と協働するようになっていることに特徴付けられる、請求項３に記載のプラットホーム。
【請求項５】
各荷積み棚（１２）の水平支持部（１４）の端部の二つの脚（１７）が、各長手方向の折り返し（２、２４）の横方向側部のすぐ外側に配置されるようになっていることに特徴付けられる、請求項２に記載のプラットホーム。
【請求項６】
前記半加工品が、二つの横方向の折り返し（３、１９、２０、３１）をさらに有することと、支持面が、前記荷積み棚（１２）の垂直支持部（１３）の間に形成されることと、前記半加工品（１、２９）が、前記支持面の少なくとも一部分を二重層として配置されることと、前記プラットホームが、荷重支持体であることとに特徴付けられる、請求項２に記載のプラットホーム。
【請求項７】
前記横方向の折り返し（３、１９、２０、３１）が、各荷積み棚（１２）の水平支持部（１４）の短い端部に位置付けられるように配置される折り目（８、３７）を有し、それによって、前記折り目（８）の外側の前記横方向の折り返し（３、１５、２０）の部分が、折り重なるようになっていることに特徴付けられる、請求項６に記載のプラットホーム。
【請求項８】
前記横方向の折り返し（３、１９）の外側端部（９）の横方向の広がりが、前記折り返し（３、１９）の残りの部分より小さいことと、折り目（１１）が、各横方向の折り返し（３、１９）の外側端部（９）の各側部に形成され、前記折り目が、スリット（１０）の内側端部と前記外側端部（９）の自由端部との間に配列されることと、前記折り目（１１）の外側に配置される横方向の折り返し（３、１９）の外側端部（９）の部分が、前記プラットホームが形成される時に、各荷積み棚（１２）の水平支持部（１４）の下側に配置されるようになっていることに特徴付けられる、請求項６又は７に記載のプラットホーム。
【請求項９】
前記横方向の折り返し（１９、２０）の外側端部が、前記プラットホームが形成された時に、互いに隣接して配置されることに特徴付けられる、請求項８に記載のプラットホーム。
【請求項１０】
タブ（２１）が、前記横方向の折り返し（２０）の一つの端部に形成され、前記タブ（２１）が、別の折り返し（２０）の溝（２２）で受容されるようになっていることに特徴付けられる、請求項９に記載のプラットホーム。
【請求項１１】
前記プラットホームが、トラフの形状を有することに特徴付けられる、請求項６に記載のプラットホーム。
【請求項１２】
各長手方向の折り返し（３０）が、各々の側部に折り曲げられた横方向の折り返し（３１）の内側に受容されるための端部折り返し（３４）を有することと、前記長手方向の折り返し（３０）が、それぞれの荷積み棚（１２）の垂直支持部（１３）の背面側に接して折り曲げられることとに特徴付けられる、請求項１１に記載のプラットホーム。
【請求項１３】
各横方向の折り返し（３１）の外側の部分が、形成されたプラットホームの中央の底部で受容されることに特徴付けられる、請求項１２に記載のプラットホーム。
【請求項１４】
タブ（４１）が、前記横方向の折り返し（３１）と前記プラットホームの中央部との間の折り目（３７）に配置されるノッチ（４０）で受容されるために、前記横方向の折り返し（３１）に形成されることに特徴付けられる、請求項１３に記載のプラットホーム。
【請求項１５】
前記半加工品（２９）が、前記荷積み棚（１２）の全ての脚（１７、１８）を受容するための開口部（３２、３３）を有することに特徴付けられる、請求項２に記載のプラットホーム。
【請求項１６】
前記半加工品（２３）が、前記プラットホームが形成される時に、前記荷積み棚（１２）の間の領域に単層を形成することと、前記半加工品（２３）が、テープ又はその他の接着剤によって、前記プラットホームに受容されるパッケージ又はそのような物に固定されることとに特徴付けられる、請求項２から４のいずれか一項に記載のプラットホーム。
【請求項１７】
前記半加工品（１、２３、２９）が、ボール紙から作られることに特徴付けられる、請求項２に記載のプラットホーム。
【請求項１８】
前記半加工品（１、２３、２９）が、波形の又は平坦なプラスチック板から作られることに特徴付けられる、請求項２に記載のプラットホーム。
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
識別可能な容器を作る方法であって、
（ａ）  蛍光剤又は燐光剤と混合されたプラスチック材料の少なくとも一層を含む成形プラスチック容器を準備し、
（ｂ）  識別可能なしるしの形態の放射線孔を有するマスクを準備し、
（ｃ）  ガンマ放射線を、前記マスクの前記放射線孔を通して、前記容器に差し向け、前記放射線が、前記蛍光剤又は燐光剤によって吸収されて、前記しるしの形態で、容器に明白な透かしを形成する、方法。
【請求項２】
前記識別可能なしるしは、ロゴからなる、請求項１記載の方法。
【請求項３】
前記容器は側壁を含み、
前記識別可能なしるしは前記側壁に形成される、請求項１又は２記載の方法。
【請求項４】
請求項１又は２の方法によって製造された容器。
【請求項５】
前記材料の少なくとも一層は、マトリクスポリマーの少なくとも一層と、バリアポリマーの少なくとも一層と、を含む、請求項１又は２記載の方法。
【請求項６】
前記バリアポリマーの少なくとも一層は前記添加剤を含む、請求項５記載の方法。
【請求項７】
蛍光剤又は燐光剤と混合されたプラスチック材料の少なくとも一層を有するプラスチック壁を含み、
前記少なくとも一層は、放射線の吸収によって、可視的にされた明白な透かしを有し、
前記明白な透かしは、前記壁内で識別可能なしるしの形態である、
容器。
【請求項８】
前記容器は側壁を含み、前記識別可能なしるしは前記側壁に形成される、請求項７記載の容器。
【請求項９】
前記識別可能なしるしはロゴからなる、請求項７記載の容器。
【請求項１０】
前記材料の少なくとも一層は、マトリクスポリマーの少なくとも一層と、バリアポリマーの少なくとも一層と、を含む、請求項７又は８記載の容器。
【請求項１１】
前記バリアポリマーの少なくとも一層は前記添加剤を含む、請求項１０記載の容器。
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
開口部と、ヘムフラップを形成するヘムシールとを含むコンテナ部であって、前記ヘムフラップがタイファスナーを与えるよう幾何学的パターンで切断されている、ところのコンテナ部を備え、
前記コンテナ部は２つの対向する側壁を含み、それぞれが、タイバッグのコンテナ部及び開口部を形成するよう、連結されてその周囲を構成し、
前記側壁は一対の対向側及び前記対向側を橋渡しする底面に沿って互いに連結され、各側壁の頂部は、ヘムフラップを形成するよう、前記底面方向に折り曲げられ、かつ、ヘムシールによってそれぞれの側壁に結合され、
ヘムフラップの幾何学的パターンはバイトにより結合された一対のタイファスナーを含み、
側壁の頂部が底面方向に折り曲げられたとき、ヘムシールがバイトの下側に配置される、
ことを特徴とするタイバッグ。
【請求項２】
前記幾何学的パターンはサイン曲線パターンである、
ことを特徴とする請求項１記載のタイバッグ。
【請求項３】
前記ヘムシールは前記タイバッグの開口部でヘムを形成する、
ことを特徴とする請求項１記載のタイバッグ。
【請求項４】
さらに、前記側壁の対向側においてヘムを閉止する一対の第２ヘムシールを備えた、
ことを特徴とする請求項３記載のタイバッグ。
【請求項５】
前記第２ヘムシールは幅が約１／4インチである、
ことを特徴とする請求項４記載のタイバッグ。
【請求項６】
開口部と、ヘムフラップを形成するヘムシールとを含むコンテナ部であって、前記ヘムフラップがタイファスナーを与えるよう幾何学的パターンで切断されている、ところのコンテナ部を備え、
前記コンテナ部は２つの対向する側壁を含み、それぞれが、タイバッグのコンテナ部及び開口部を形成するよう、連結されてその周囲を構成し、
前記側壁は一対の対向側及び前記対向側を橋渡しする底面に沿って互いに連結され、各側壁の頂部は、ヘムフラップを形成するよう、前記底面方向に折り曲げられ、かつ、ヘムシールによってそれぞれの側壁に結合され、
前記ヘムフラップの幾何学的パターンは、バイトにより連結された一対のタイファスナーを含み、
前記側壁の頂部がボトム方向に折り曲げられたとき、ヘムシールがバイトと交差する、
ことを特徴とするタイバッグ。
【請求項７】
前記ヘムシールは、タイバッグの開口部においてヘムを形成する、
ことを特徴とする請求項６記載のタイバッグ。
【請求項８】
さらに、前記側壁の対向側において、ヘムを閉止する一対の第２ヘムシールを含む、
ことを特徴とする請求項７記載のタイバッグ。
【請求項９】
開口部と、ヘムフラップを形成するヘムシールとを含むコンテナ部であって、前記ヘムフラップがタイファスナーを与えるよう幾何学的パターンで切断されている、ところのコンテナ部を備え、
前記コンテナ部は２つの対向する側壁を含み、それぞれが、タイバッグのコンテナ部及び開口部を形成するよう、連結されてその周囲を構成し、
前記側壁は一対の対向側及び前記対向側を橋渡しする底面に沿って互いに連結され、各側壁の頂部は、ヘムフラップを形成するよう、前記底面方向に折り曲げられ、かつ、ヘムシールによってそれぞれの側壁に結合され、
ヘムフラップの幾何学的パターンはバイトにより結合された一対のタイファスナーを含み、
側壁の頂部が底面方向に折り曲げられたとき、ヘムシールがバイトの上側に配置され、
ユーザが廃棄物容器のリムを覆うタイバッグの開口部を引くと、ヘムシールは伸ばされたフィルムの層を二層化し、それによって、バッグのグリップ力が改善する、
ことを特徴とするタイバッグ。
【請求項１０】
前記ヘムシールは、タイバッグの開口部においてヘムを形成する、
ことを特徴とする請求項９記載のタイバッグ。
【請求項１１】
さらに、前記側壁の対向側において、ヘムを閉止する一対の第２ヘムシールを含む、
ことを特徴とする請求項１０記載のタイバッグ。
【請求項１２】
開口部及び、一対のヘムフラップを形成する一対のヘムシールを含むコンテナ部を備え、
前記ヘムフラップはバイトにより結合された少なくとも２つのタイファスナーを与えるべく幾何学的パターンで切断されており、
前記コンテナ部は第１及び第２の対向する側壁であって、それぞれが一対の対向側を有する側壁と、底面を有し、タイバッグのコンテナ部及び開口部を形成するよう連結され、
前記第１及び第２側壁の周囲は、それぞれ頂部を含み、ヘムフラップを形成するよう、それが底面方向に折り曲げられて、かつ、ヘムシールの一方または他方によりそれぞれの側壁に結合される、
ことを特徴とするタイバッグ。
【請求項１３】
前記第１及び第２側壁の頂部は、前記第１及び第２側壁の間で、内側に折り曲げられ、第１側壁の頂部がヘムシールの一方により第１側壁の内側面に結合され、第２側壁の頂部はヘムシールの他方により第２側壁の内側面に結合される、
ことを特徴とする請求項１２記載のタイバッグ。
【請求項１４】
一対のヘムシールがタイバッグの開口部において、一対のヘムを形成する、
ことを特徴とする請求項１２記載のタイバッグ。
【請求項１５】
さらに、側壁の対向側において一対のヘムを閉止する一対の第２ヘムシールを含む、
ことを特徴とする請求項１４記載のタイバッグ。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
容器運搬具において、
容器を囲繞、保持する複数のループ部の配列を形成した、柔軟な少なくとも１枚のシート材料と、
前記配列に連結されたハンドル部と、
前記配列のループ部を複数組に分ける少なくとも１本のミシン目とを具備し、
前記ミシン目は、前記材料を引裂いて、各サブユニットの容器が前記ループ部に取付けた状態に保持されたまま前記配列を少なくとも第１と第２のサブユニットに切離し、かつ、前記ハンドル部を、それぞれが前記サブユニットの１つに連結されている少なくとも第１と第２のハンドル小部分に切離すように配置されている容器運搬具。
【請求項２】
前記配列は１２個の前記ループ部を含んでおり、前記ミシン目は前記ループ部を各６つのループ部を有した２つのサブユニットに切離す請求項１に記載の容器運搬具。
【請求項３】
前記配列を少なくとも３つのサブユニットに切離すための複数のミシン目を更に具備する請求項１に記載の容器運搬具。
【請求項４】
前記配列は１２個の前記ループ部を含んでおり、前記ミシン目は前記ループ部を各４つのループ部を有した３つのサブユニットに切離す請求項３に記載の容器運搬具。
【請求項５】
前記配列は１２個の前記ループ部を含んでおり、前記ミシン目は前記ループ部を各３つのループ部を有した４つのサブユニットに切離す請求項３に記載の容器運搬具。
【請求項６】
前記配列が第１のシートを具備し、前記ハンドルが前記第１のシートに接合された第２のシートを具備する請求項１に記載の容器運搬具。
【請求項７】
前記配列およびハンドルが単一のシート材料を具備する請求項１に記載の容器運搬具。
【請求項８】
前記運搬具が、重畳された第１と第２のシートを具備し、前記ハンドルが前記シートの一部を具備し、前記配列が前記シートの各々に形成されたループ部を含んで成る請求項１に記載の容器運搬具。
【請求項９】
前記ミシン目が、前記運搬具を前記各シートから少なくとも２つのサブユニットを切離す請求項８に記載の容器運搬具。
【請求項１０】
前記ミシン目が、前記運搬具を前記各シートから少なくとも３つのサブユニットを切離す請求項８に記載の容器運搬具。
【請求項１１】
前記配列が更に、前記ループ部の各々を開くためのミシン目を更に具備する請求項１に記載の容器運搬具。
【請求項１２】
容器用の運搬具において、
容器を囲繞、保持する複数のループ部の配列を形成した容器保持部と、
前記容器保持部に連結されたハンドル部と、
サブユニットの各々が前記ループ部の幾つかと、前記ハンドル部の小部分とを有するように、前記容器保持部および前記ハンドルを少なくとも第１と第２のサブユニットに分割するよう適合、配置されたミシン目とを具備する容器用の運搬具。
【請求項１３】
前記容器保持部を前記複数のループ部の幾つかを有した第３のサブユニットに切離すミシン目を更に含んで成る請求項１２に記載の運搬具。
【請求項１４】
前記容器保持部を前記複数のループ部の幾つかを有した第４のサブユニットに切離すミシン目を更に含んで成る請求項１３に記載の運搬具。
【請求項１５】
前記サブユニットの各々は、同数の前記ループ部を有している請求項１３に記載の運搬具。
【請求項１６】
前記ミシン目は、前記容器保持部を第１と、第２と、第３と、第４のサブユニットに分割し、該サブユニットの各々が３つの前記ループ部を含んでいる請求項１２に記載の運搬具。